(57)【要約】【課題】アスペクト比１６：９の表示領域を有するマトリクス型映像表示装置において、アスペクト比４：３の映像を表示する場合、映像が表示されない領域のドライバへの給電を停止させてノイズと消費電力を低減させる。【解決手段】アスペクト比１６：９の表示領域を有しているマトリクス型映像表示装置１は、Ｙ軸方向の電極を駆動するＹ軸ドライバが複数のドライバ群４ａ〜４ｚに分割されている。アスペクト比４：３の映像を表示させる場合、映像が表示されない領域（図１の網掛け部分）の表示画素を点灯させるＹ軸ドライバ４ａと４ｚが映像を表示させる領域の表示画素を点灯させるＹ軸ドライバ４ｂ〜４ｙと完全に分離されているため、上記映像が表示されない領域の電極群のドライバ４ａ、４ｚへの給電を停止し、この領域の表示画素を完全に非動作にすることで、不要なノイズの発生と電力消費を低減する。【選択図】        図１
2004177557.tif 000002
【特許請求の範囲】
【請求項１】
Ｘ軸方向とＹ軸方向のマトリクス型でそれらの交点に構成される画素の点灯を制御するマトリクス型映像表示装置において、Ｙ軸方向の制御ラインを複数の制御ライン群に分割し、表示する映像信号のアスペクト比に応じて画面表示をしない領域のＹ軸方向の制御ライン群の動作を非動作とすることを特徴とするマトリクス型映像表示装置の駆動方法。
【請求項２】
Ｘ軸方向とＹ軸方向のマトリクス型でそれらの交点に構成される画素の点灯を制御するマトリクス型映像表示装置において、Ｘ軸方向の制御ラインを複数の制御ライン群に分割し、表示する映像信号のアスペクト比に応じて画面表示をしない領域のＸ軸方向の制御ライン群の動作を非動作とすることを特徴とするマトリクス型映像表示装置の駆動方法。
【請求項３】
Ｘ軸方向とＹ軸方向のマトリクス型でそれらの交点に構成される画素の点灯を制御するマトリクス型映像表示装置において、Ｘ軸方向とＹ軸方向の両方の制御ラインをそれぞれ複数の制御ライン群に分割し、表示する映像信号のアスペクト比に応じて画面表示をしない領域のＸ軸、Ｙ軸両方向の制御ライン群の動作を非動作とすることを特徴とするマトリクス型映像表示装置の駆動方法。
【請求項４】
複数の走査電極と複数のデータ電極とが互いに交差するように配置され、走査電極に同期してデータ電極に所望のデータパルスが印加されることにより走査電極とデータ電極の交点にて放電が発生し、この放電により映像表示が行われるプラズマディスプレイパネルの駆動方法であって、これらのデータ電極を複数のデータ電極群に分割し、表示する映像信号のアスペクト比に応じて画面表示をしない領域のデータ電極群には給電しないことを特徴とするプラズマディスプレイパネルの駆動方法。
【請求項５】
複数の走査電極と複数のデータ電極とが互いに交差するように配置され、走査電極に同期してデータ電極に所望のデータパルスが印加されることにより走査電極とデータ電極の交点にて放電が発生し、この放電により映像表示が行われるプラズマディスプレイパネルの駆動方法であって、これらの走査電極を複数の走査電極群に分割し、表示する映像信号のアスペクト比に応じて画面表示をしない領域の走査電極群には給電しないことを特徴とするプラズマディスプレイパネルの駆動方法。
【請求項６】
複数の走査電極と複数のデータ電極とが互いに交差するように配置され、走査電極に同期してデータ電極に所望のデータパルスが印加されることにより走査電極とデータ電極の交点にて放電が発生し、この放電により映像表示が行われるプラズマディスプレイパネルの駆動方法であって、これらのデータ電極および走査電極をそれぞれ複数のデータ電極群と走査電極群に分割し、表示する映像信号のアスペクト比に応じて画面表示をしない領域のデータ電極群と走査電極群には給電しないことを特徴とするプラズマディスプレイパネルの駆動方法。
【請求項７】
上記の請求項１乃至６項のいずれかの請求項に記載されたマトリクス型映像表示装置の駆動方法を使用したマトリクス型映像表示装置において、映像表示している領域と映像表示していない領域の動作時間および発光量の積算量をメモリに記憶する手段と、動作時間および発光量の積算量と発光効率の劣化度合いを関連付けてあらかじめ作成された発光効率劣化テーブルを有し、メモリに記憶された前述の積算量を発光効率劣化テーブルと比較することにより発光効率の劣化度合いを推定し、両領域の発光効率の差分を補正する発光量をそれぞれの領域における発光量制御データに加減算する手段を有することを特徴とするマトリクス型映像表示装置。
【発明の詳細な説明】
【０００１】
【発明の属する技術分野】
この発明は、マトリクス型映像表示装置の駆動方法、およびこのマトリクス型映像表示装置を使用したマトリクス型映像表示装置に関するものである。
【０００２】
【従来の技術】
従来のマトリクス型映像表示装置はドライバを分割して画面表示をしない領域に黒レベル信号を印加するものがある（例えば、特許文献１参照。）。しかし、画面表示をしていない領域でも黒信号を表示するという動作が行われているため、不要なノイズを発生させているとともに、無駄な電力を消費している。また、プラズマディスプレイパネル（以下ＰＤＰと略称する）は、他の表示デバイスに比べて特にデジタル的な放射ノイズの発生量が大きく、電力の消費も多いという欠点を有している。このため、データ電極の駆動方法を工夫する等により、ＰＤＰのノイズと消費電力の低減を目指している（例えば、特許文献２参照。）。また、データ電極（Ｘ軸方向のドライバ）だけでなく、Ｙ軸方向のドライバも分割することにより、充放電のピーク電流の低減を目指したものもある（例えば、特許文献３参照。）。さらに、分割された電極群に対して専用電源部を備え、各電極群ごとに異なるタイミングで電荷回収を行うことにより、消費電力の低減を目指したものもある（例えば、特許文献４参照。）。
【０００３】
【特許文献１】
特開平７−３６４０６号公報（第３−４頁、第１図）
【特許文献２】
特開２００１−２７２９４８号公報（第５−６頁、第２図）
【特許文献３】
特開平６−４０３９号公報（第２−３頁、第１図）
【特許文献４】
特開２００１−５１６４８号公報（第４−６頁、第３図）
【０００４】
特許文献１は、マトリクス型映像表示装置においてドライバを分割し、画面表示しない領域に黒レベル信号を印加することにより、簡単に画面のアスペクト比を切り換えるものである。また、特許文献２〜４は、マトリクス型映像表示装置の一つであるプラズマディスプレイにおいて分割された電極を駆動するドライバを複数の集合体に分割し、それぞれのタイミングに時間差を生じさせたり、またそれぞれに専用電源部を備えたりすることにより、各電極電流のピーク値を下げ、または各電極群ごとに異なるタイミングで電荷回収や再利用を行って、ノイズと消費電力を低減するものである。しかし、いずれにしても画面表示をしない領域（＝アスペクト比の違いによる映像信号の存在しない領域）では黒信号が表示されているため、ノイズの発生源になっており、また無駄な電力消費が行われている。
【０００５】
【発明が解決しようとする課題】
上記のような従来のマトリクス型映像表示装置では、アスペクト比１６：９の表示領域全体に表示する映像がある場合の比較においてはノイズと消費電力の低減効果があるが、例えばこのマトリクス型映像表示装置をテレビとして使用する場合、現実にはアスペクト比が４：３の映像であるテレビ放送やビデオソフト、ゲーム画面等の映像は少なからず残っている。また、このマトリクス型映像表示装置をコンピュータのモニターとして使用する場合にも映像のアスペクト比は主に４：３であるため、これらのアスペクト比が４：３である映像を表示する場合、画面の左右に映像が表示されない領域（＝映像が存在しない領域）が発生する。この時、この映像が表示されない領域のドライバにも給電されているので、このドライバでノイズの発生と無駄な電力が消費されているという問題点がある。
【０００６】
またＰＤＰでは、上記の給電によって映像の存在しない全てのセルにおいても書き込み放電と消去放電が行われるため、この領域でも僅かながらも発光するので、表示画像の黒レベルが明るくなり、画面全体のコントラスト感が悪化するという問題点があった。
【０００７】
また、ＰＤＰやＥＬ、ＬＥＤ等の自発光素子を有するマトリクス型映像表示装置では、上記の表示を長時間続けた場合、映像を構成している各画素の発光積算量に差が生じ、映像が表示される領域の画素と表示されない領域の画素で発光効率の劣化程度に差ができてしまうため、後にアスペクト比１６：９の表示領域全体に映像表示行った場合、映像データ的には同じ輝度であっても、発光効率の差によって前述の両領域間の実画面輝度が同じにならなくなってしまう、いわゆる焼き付きの発生という問題点があった。
【０００８】
この発明は、上述のような課題を解消するためになされたもので、例えば表示領域のアスペクト比が１６：９のマトリクス型映像表示装置において、アスペクト比４：３の映像を表示する場合に、映像が表示されない領域のドライバ回路の給電を停止して動作を停止させ、アスペクト比が１６：９の映像を表示している時よりも更なるノイズと消費電力の低減を図るものである。また、ＰＤＰではさらに見た目のコントラスト感の向上を図るものである。さらに、ＰＤＰやＥＬ、ＬＥＤ等の自発光素子を有するマトリクス型映像表示装置において、映像表示している領域と給電停止している領域の発光効率劣化量の差を推定し、両領域の映像信号を加工またはドライバ群を補正制御して、焼き付きの発生を感じさせない映像表示を図るものである。
【０００９】
【課題を解決するための手段】
この発明に係るマトリクス型映像表示装置は、Ｘ軸方向またはＹ軸方向の片側あるいは両側の制御ラインを複数の制御ライン群に分割し、画面表示をしない領域の制御ライン群を非動作とする仕組みを備えたものである。
【００１０】
【発明の実施の形態】
以下、この発明をその実施の形態を示す図面に基づいて具体的に説明する。
実施の形態１．
図１は、この発明の実施の形態１であるマトリクス型映像表示装置とその駆動回路のブロック図を示すものである。なお、マトリクス型映像表示装置の例としては、液晶、ＬＥＤ、ＤＭＤ、電子ペーパー、ＰＤＰ、ＥＬ、ＥＣＤを用いたもの等がある。
【００１１】
まず最初に各種マトリクス型映像表示装置について説明する。液晶表示装置は、Ｘ、Ｙ軸電極間に液晶層を挟む構造になっており、Ｘ、Ｙ軸電極の交差している位置に各画素が配置されたマトリクス型表示デバイスである。動作はＸ、Ｙ軸電極間に電圧を印加することで液晶の配列を制御して液晶層の透過率を変化させ、この液晶層を透過する光量を制御して各画素の画像を表現するものである。
【００１２】
ＬＥＤ（発光ダイオード）表示装置は、Ｘ、Ｙ軸電極の交差する位置にＬＥＤを配置して、そのＬＥＤを各画素とした自発光型の表示デバイスである。動作はＸ、Ｙ軸ドライバ間に電圧を印加することでＬＥＤを発光させることにより各画素の画像を再現するものである。
【００１３】
ＤＭＤ表示装置は、Ｘ、Ｙ軸方向にマトリクス状に配列された微少ミラーによって入射光を反射させて各画素の画像を再現する反射型の表示デバイスである。動作はＸ、Ｙ軸電極に電圧を印可することによって各画素にオン／オフ表示データを書き込み、その状態で光を入射反射させて各画素の画像を再現するものである。
【００１４】
電子ペーパー表示装置は、マイナスに帯電したカーボンと、プラスに帯電した酸化チタンを透明な樹脂で包んだ微少なカプセルを用い、これをＸ、Ｙ軸電極の間に配置したものであり、Ｘ、Ｙ軸ドライバが交差した位置に画素を形成する表示デバイスである。動作はＸ、Ｙ軸ドライバに電圧を印加することで前記カプセルの向きを変えることによって白黒の画像を表示するものである。また、カラーフィルタを用いることで、カラー表示も可能である。
【００１５】
ＰＤＰ表示装置は、Ｘ、Ｙ軸電極の交差した位置に画素セルをマトリクス状に配置させ、この画素セルに放電ガスを封入すると同時に蛍光体を背面基板側に塗布し、同一基板上でＸ軸方向に配置された走査電極と維持電極間で維持放電させて、このガス放電によって紫外線を放射させて蛍光体を発光させる自発光型のマトリクス型表示デバイスである。なお、走査電極と維持電極間の放電（維持放電）を行う前に、Ｘ軸方向に配置された走査電極と、前記走査電極と対向する基板上にＹ軸方向に配置されたデータ電極との間に電圧を印加して各画素セルごとにデータの消去／書き込みを行い、次いで維持放電を行うことで各画素セルの画像を再現するものである。
【００１６】
ＥＬ（エレクトロ・ルミネッセンス）表示装置は、Ｘ、Ｙ軸電極間に蛍光性化合物を挟む構造になっており、Ｘ、Ｙ軸電極の交差している位置に各画素が配置されたマトリクス型表示デバイスである。動作はＸ、Ｙ軸電極間に電圧を印加することで各画素の蛍光体に電場が加えられ、これによって蛍光性化合物が励起されて発光する。この現象によって各画素の画像を再現するものである。
【００１７】
ＥＣＤ（エレクトロ・クロミック・ディスプレイ）表示装置は、Ｘ、Ｙ軸電極間にＥＣ膜と電解液あるいは固体電解質を挟む構造になっており、Ｘ、Ｙ軸電極の交差している位置に各画素が配置されたマトリクス型表示デバイスである。動作はＸ、Ｙ軸電極間に電圧を印加することで可逆的に変化するＥＣ膜の色を変化させることで各画素の画像を再現するものである。
【００１８】
以上より、液晶、ＬＥＤ、ＤＭＤ、電子ペーパー、ＰＤＰ、ＥＬ、ＥＣＤを用いたマトリクス型映像表示装置は、それぞれのパネル（電極）の構造や画像の再現方法は異なっているが、Ｘ軸方向に配置された電極１１群とＹ軸方向に配置された電極１２群を有しており、それぞれの電極が交差している位置に各表示画素１３がマトリクス状に配列されており、Ｘ、Ｙ軸方向に配置された電極群に電圧を印加することによって各画素を駆動している点で共通している。よって、以下の説明では上記各表示装置をＸＹの二次元平面で表現した電極群で構成される表示デバイスとして扱って説明を行うものとする。
【００１９】
これらのマトリクス型映像表示装置１においては、Ｘ軸方向の電極１１群の駆動はＸ軸ドライバ２が、Ｙ軸方向の電極１２群の駆動は複数に分割配置されたＹ軸ドライバ４ａ〜４ｚが行い、それらのＹ軸ドライバ４ａ〜４ｚの制御はＹ軸ドライバ制御回路５が行う。
【００２０】
以下、アスペクト比１６：９の表示領域を有しているマトリクス型映像表示装置１において、テレビ放送やコンピュータ画面等のアスペクト比４：３の映像を表示する場合について説明する。なお、表示映像信号のアスペクト比を検出する方法としては何種類かの方法が存在するが、例えばマトリクス型映像表示装置に映像を表示する場合は入力映像信号をサンプリングして各画素のデータ値を得ているが、この時にサンプリングされた各画素の値を調べて、画像が存在しない領域（＝画素値はゼロとなる）を検出してやれば、画像が存在するＸおよびＹ軸方向の領域の画素数からアスペクト比を算出することができる。または、Ｓ１端子やＤ２、Ｄ３、Ｄ４端子を映像信号入力端子として使用していれば、入力される表示映像信号のアスペクト比情報も規格で定められているので、映像信号とともにマトリクス型映像表示装置に入力されるので、この信号から表示画像のアスペクト比を検出することができる。さらに、マトリクス型映像表示装置のユーザーが入力信号のアスペクト比を手動で設定するように構成されていても構わない。
【００２１】
実施の形態１である図１のマトリクス型映像表示装置では、アスペクト比４：３の映像を表示させた場合に、映像が表示されない領域（図１に示した網掛け部分）のＹ軸方向の電極１２を駆動するＹ軸ドライバ４ａ、４ｚと、映像が表示される領域のＹ軸方向の電極１２を駆動するＹ軸ドライバ４ｂ〜４ｙとはあらかじめ完全に複数の電極群に分離されているため、アスペクト比４：３の映像を表示する場合には、映像が表示されない領域の電極群のＹ軸ドライバ４ａと４ｚの給電をＹ軸ドライバ制御回路５によって停止して、この領域の表示画素を完全に非動作とする。このことによって映像が表示されない領域では表示動作が行われないので、不要なノイズの発生と無駄な電力の消費を減らすことができる効果がある。
【００２２】
実施の形態２．
図２は、この発明の実施の形態２であるマトリクス型映像表示装置とその駆動回路のブロック図を示すものである。なお、マトリクス型映像表示装置の例としては、実施の形態１と同様に、液晶、ＬＥＤ、ＤＭＤ、電子ペーパー、ＰＤＰ、ＥＬ、ＥＣＤを用いたもの等がある。
【００２３】
このマトリクス型映像表示装置１は、Ｘ軸方向に配置された電極１１群、Ｙ軸方向に配置された電極１２群、それぞれの電極が交差している位置に各表示画素１３がマトリクス状に配列されているのは実施の形態１と同じであるが、Ｘ軸方向の電極１１群の駆動は複数に分割配置されたＸ軸ドライバ２ａ〜２ｚが行い、その制御はＸ軸ドライバ制御回路３が行う。Ｙ軸方向の電極１２群の駆動はＹ軸ドライバ４が行う構成となっている。
【００２４】
なお、表示映像信号のアスペクト比の検出方法は、上記実施の形態１で述べたものと同じ方法で実現できるので、その説明は省略する。
【００２５】
上記のようなアスペクト比１６：９の表示領域を有しているマトリクス型映像表示装置１において、アスペクト比が１６：９よりも横長である映画等（例えばシネスコサイズの２．３５：１のアスペクト比を有する映像や、ビスタサイズの１．８５：１のアスペクト比を有する映像等）の映像を表示する場合について説明する。
【００２６】
実施の形態２である図２のマトリクス型映像表示装置では、上述のアスペクト比１６：９よりも横長の映画等の映像を表示させた場合に、映像が表示されない領域（図２に示した網掛け部分）の電極を駆動するＸ軸ドライバ２ａ、２ｚと、映像が表示される領域の電極を駆動するＸ軸ドライバ２ｂ〜２ｙとがあらかじめ完全に分離されているため、映像が表示されない領域の電極群のドライバ２ａと２ｚへの給電をＸ軸ドライバ制御回路３によって停止し、この領域の表示画素を完全に非動作とする。このことによって映像が表示されない領域では表示動作が行われないので、不要なノイズの発生と無駄な電力の消費を減らすことができる効果がある。
【００２７】
また、マトリクス型映像表示装置１の映像表示領域のアスペクト比が４：３である場合に、アスペクト比が１６：９や２．３５：１、１．８５：１等の横長の映像を表示する場合でも、上記と全く同じように、あらかじめ完全に分離された映像が表示されないＸ軸ドライバ２ａ、２ｚと映像が表示されるＸ軸ドライバ２ｂ〜２ｙへの給電をＸ軸ドライバ制御回路３によって制御させることにより、上記と同じ効果が得られる。
【００２８】
実施の形態３．
図３は、この発明の実施の形態３であるマトリクス型映像表示装置とその駆動回路のブロック図を示すものである。マトリクス型映像表示装置の例としては、実施の形態１、２と同様に、液晶、ＬＥＤ、ＤＭＤ、電子ペーパー、ＰＤＰ、ＥＬ、ＥＣＤを用いたもの等がある。
【００２９】
このマトリクス型映像表示装置１は、上記実施の形態１と２に記したものを組み合わせたものであり、Ｘ軸方向の電極１１群の駆動は複数に分割配置されたＸ軸ドライバ２ａ〜２ｚが行い、その制御はＸ軸ドライバ制御回路３が行い、Ｙ軸方向の電極群の駆動は複数に分割配置されたＹ軸ドライバ４ａ〜４ｚが行い、その制御はＹ軸ドライバ制御回路５が行うものである。
【００３０】
この実施の形態３である図３のマトリクス型映像表示装置では、前述の実施の形態１と実施の形態２の双方の機能を併せ持つため、実施の形態１で述べた方法によって表示映像信号のアスペクト比を検出し、その検出したアスペクト比がアスペクト比１６：９よりも横長の映画等の映像を表示する場合においても、テレビ放送やコンピュータ画面等のアスペクト比４：３の映像を表示する場合においても、映像が表示されない領域の電極を駆動するドライバ群と、映像が表示される領域の電極を駆動するドライバ群とがあらかじめ完全に分離されているため、表示される映像のアスペクト比に応じて、映像が表示されない領域の電極群のドライバへの給電をＸ軸ドライバ制御回路３、またはＹ軸ドライバ制御回路５によって停止し、映像が表示されない領域の表示画素を完全に非動作とすることができるので、入力信号のアスペクト比に応じて映像が表示されない領域の表示画素を完全に非動作とすることができるため、ノイズの発生と無駄な電力の消費を減らすことができる効果がある。
【００３１】
実施の形態４．
図４は、この発明の実施の形態４であるＰＤＰ表示装置とその駆動回路のブロック図を示すものである。
【００３２】
ＰＤＰ表示装置は、前述のように、Ｘ、Ｙ軸電極の交差した位置に画素セルをマトリクス状に配置させ、この画素セルに放電ガスを封入すると同時に背面基板側に蛍光体を塗布し、同一基板上でＸ軸方向に配置された走査電極１４と維持電極１５間で維持放電させて、このガス放電によって紫外線を放射させて蛍光体を発光させる自発光型のマトリクス型表示デバイスである。なお、走査電極１４と維持電極１５間の放電（維持放電）を行う前に、Ｘ軸方向に配置された走査電極１４と、前記走査電極１４と対向する基板上にＹ軸方向に配置されたデータ電極１６との間に電圧を印加して各画素セルごとにデータの消去／書き込みを行い、次いで走査電極１４と維持電極１５間との間で維持放電を行うことで紫外線を発生させ、その紫外線が蛍光体を励起して発光することで各画素セルの画像を再現するものである。
【００３３】
このＰＤＰ１は、水平方向に配置された走査電極１４群と、この走査電極と対をなす維持電極１５群と、垂直方向に配置されたデータ電極１６群を有しており、それぞれの電極が交差している位置に各表示セル１３がマトリクス状に配列されている。走査電極１４群の駆動は走査ドライバ２が、維持電極１５群の駆動は維持ドライバ３がそれぞれ制御するが、データ電極１６群の駆動は複数に分割配置されたデータドライバ４ａ〜４ｚが行い、それらの制御はデータドライバ制御回路５が行う。
【００３４】
以下、アスペクト比１６：９の表示領域を有しているＰＤＰ１において、テレビ放送やコンピュータ画面等のアスペクト比４：３の映像を表示する場合について説明する。なお、表示映像信号のアスペクト比の検出方法は、上記実施の形態１で述べたものと同じ方法で実現できるので、その説明は省略する。
【００３５】
実施の形態４である図４のＰＤＰ１では、アスペクト比４：３の映像を表示する場合に、映像が表示されない領域（図４に示した網掛け部分）の表示セル１３を発光させるデータドライバ４ａ、４ｚと、映像が表示される領域の表示セル１３を発光させるデータドライバ４ｂ〜４ｙとはあらかじめ完全に複数の電極群に分離されているため、アスペクト比４：３の映像を表示する場合には、データドライバ制御回路５によって映像が表示されない領域のデータ電極１６群のドライバ４ａと４ｚへの給電を停止し、この領域の表示セル１３を完全に消灯することができるので、不要なノイズの発生と無駄な電力の消費を減らすことができるとともに、映像が表示されない領域の発光（書き込み放電と維持放電）は完全に無くなるために表示の黒レベルが下がり、見た目のコントラスト感が向上する効果もある。
【００３６】
実施の形態５．
図５は、この発明の実施の形態５であるＰＤＰ表示装置とその駆動回路のブロック図を示すものである。
【００３７】
このＰＤＰ１は、水平方向に配置された走査電極１４群と、この走査電極と対をなす維持電極１５群と、垂直方向に配置されたデータ電極１６群を有しており、それぞれの電極が交差している位置に各表示セル１３がマトリクス状に配列されている。走査電極１４群の駆動は複数に分割配置された走査ドライバ２ａ〜２ｚが行い、その制御は走査ドライバ制御回路３が行い、維持電極１５群の駆動は複数に分割配置された維持ドライバ６ａ〜６ｚが行い、その制御は維持ドライバ制御回路７が行う。また、データ電極１６群の駆動はデータドライバ４が行うものである。
【００３８】
アスペクト比１６：９の表示領域を有しているＰＤＰ１において、アスペクト比１６：９よりも横長の映画等の映像（例えば、シネスコサイズの２．３５：１のアスペクト比を有する映像や、ビスタサイズの１．８５：１のアスペクト比を有する映像等）を表示する場合について説明する。なお、表示映像信号のアスペクト比の検出方法は、上記実施の形態１で述べたものと同じ方法で実現できるので、その説明は省略する。
【００３９】
実施の形態５である図５のＰＤＰ１では、アスペクト比１６：９よりも横長の映画等の映像を表示させた場合に、映像が表示されない領域（図５に示した網掛け部分）の表示セル１３を発光させる走査ドライバ２ａ、２ｚおよび維持ドライバ６ａ，６ｚと、映像が表示される領域の表示セル１３を発光させる走査ドライバ２ｂ〜２ｙおよび維持ドライバ６ｂ〜６ｙとはあらかじめ完全に複数の電極群に分離されているため、映像が表示されない領域の各走査および維持ドライバ２ａ、２ｚ、６ａ、６ｚへの給電を走査ドライバ制御回路３と維持ドライバ制御回路７によって停止させることで、映像が表示されない表示セル１３を完全に消灯することができる。これによって不要なノイズの発生と無駄な電力の消費を減らすことができるとともに、映像が表示されない領域の発光（書き込み放電と消去放電）は完全に無くなるため、表示の黒レベルが下がり、見た目のコントラスト感が向上する効果もある。
【００４０】
また、ＰＤＰ１のアスペクト比が４：３である場合に、アスペクト比が１６：９や映画などのアスペクト比が２．３５：１、１．８５：１等の横長の映像を表示する場合でも、上記と全く同じように、あらかじめ完全に複数に分離された映像が表示されない走査ドライバ２ａ、２ｚと維持ドライバ６ａ、６ｚと映像が表示される走査ドライバ２ｂ〜２ｙと維持ドライバ６ｂ〜６ｙへの給電を走査ドライバ制御回路３と維持ドライバ制御回路７によって制御させることにより、全く同じ効果が得られる。
【００４１】
実施の形態６．
図６は、この発明の実施の形態６であるＰＤＰ表示装置とその駆動回路のブロック図を示すものである。
【００４２】
このＰＤＰ１は、上記実施の形態４と５で述べたものを組み合わせたものであり、走査電極１４群の駆動は複数に分割配置された走査ドライバ２ａ〜２ｚが行い、その制御は走査ドライバ制御回路３が行い、維持電極１５群の駆動は複数に分割配置された維持ドライバ６ａ〜６ｚが行い、その制御は維持ドライバ制御回路７が行う。また、データ電極１６群の駆動は複数に分割配置されたデータドライバ４ａ〜４ｚが行い、その制御はデータドライバ制御回路５が行うものである。
【００４３】
この実施の形態６である図６に示したＰＤＰ１では、前述の実施の形態４と実施の形態５の双方の機能を併せ持っている。表示映像信号のアスペクト比の検出方法は、上記実施の形態１で述べたものと同じ方法で実現できるので、その説明は省略する。よって、検出した表示映像信号のアスペクト比が１６：９よりも横長の映画等の映像を表示する場合においても、テレビ放送やコンピュータ画面等のアスペクト比４：３の映像を表示する場合においても、映像が表示されない領域の電極を駆動するドライバ群と、映像が表示される領域の電極を駆動するドライバ群とがあらかじめ完全に複数の電極群に分離されているため、表示される映像のアスペクト比に応じて映像が表示されない領域の電極群のドライバへの給電を走査ドライバ制御回路３と維持ドライバ制御回路７の両者、またはデータドライバ制御回路５によって停止させ、映像が表示されない領域の表示セル１３を完全に消灯することができるので、入力信号のアスペクト比に応じたノイズの低減と消費電力の節減を図ることができる。またこの時、入力信号のアスペクト比に応じて、映像が表示されない領域のセル１３の発光（書き込み放電と消去放電）は完全に無くなるため、表示の黒レベルが下がり、見た目のコントラスト感が向上する効果もある。
【００４４】
実施の形態７．
ＥＬ表示装置の動作原理は、Ｘ、Ｙ軸電極間に挟んだ蛍光性化合物（正孔輸送層と電子輸送層を積層した構造になっている）の前面と背面に配置されたＸ、Ｙ軸電極間に電圧を印加させることで、陽極側から注入された正孔と電子の再結合エネルギーを光エネルギーとして発光することでＸＹの二次元マトリクス状に構成された各画素の画像を表示する。
【００４５】
図１に示したマトリクス型映像表示装置１をＥＬ表示装置とすると、本発明の実施の形態７であるＥＬ表示装置となる。動作については実施の形態１で述べたものと全く同一であるので、その説明は省略する。
【００４６】
映像の存在しない領域のＹ軸ドライバ４ａと４ｚへの給電をＹ軸ドライバ制御回路５によって停止させたので、映像が表示されない領域の表示画素を完全に非動作とすることができるため、不要なノイズの発生と無駄な電力の消費を減らすことができる効果がある。
【００４７】
実施の形態８．
図２に示したマトリクス型映像表示装置１をＥＬ表示装置とすると、本発明の実施の形態８であるＥＬ表示装置となる。動作については実施の形態２で述べたものと全く同一であるので、その説明は省略する。
【００４８】
映像の存在しない領域のＸ軸ドライバ２ａと２ｚへの給電をＸ軸ドライバ制御回路３によって停止させたので、映像が表示されない領域の表示画素を完全に非動作とすることができるため、不要なノイズの発生と無駄な電力の消費を減らすことができる効果がある。さらに、アスペクト比が１６：９よりも横長の映像を表示する場合でも同様の効果が得られる。
【００４９】
実施の形態９．
図３に示したマトリクス型映像表示装置１をＥＬ表示装置とすると、本発明の実施の形態９であるＥＬ表示装置となる。動作については実施の形態３で述べたものと全く同一であるので、その説明は省略する。
【００５０】
映像が表示される領域の電極を駆動するドライバ群と、映像が表示されない領域の電極を駆動するドライバ群とがあらかじめ完全に複数に電極群に分離されているため、表示される映像のアスペクト比に応じて、映像が表示されない領域の電極群のドライバへの給電をＸ軸ドライバ制御回路３、またはＹ軸ドライバ制御回路５によって停止し、映像が表示されない領域の表示画素を完全に非動作とすることができるため、不要なノイズの発生と無駄な電力の消費を減らすことができる効果がある。
【００５１】
実施の形態１０．
図７は、この発明の実施の形態１０である映像表示装置を示すものである。同図は、前述の実施の形態１〜３、および７〜９におけるマトリクス型映像表示装置を用いた映像表示装置のブロック図である。
【００５２】
アスペクト比が１６：９であるマトリクス型映像表示装置１に表示される映像の信号は、映像信号処理回路８において処理され、その映像の画素単位のデータと表示セル１３との同期をとるためのドライバ制御回路９との情報のやりとりを行う。これによりドライバ制御回路９は、走査ドライバまたはＸ軸ドライバ２とデータドライバまたはＹ軸ドライバの制御回路５を制御する。また、表示する映像内容のアスペクト比に応じてマトリクス型映像表示装置１に映像が表示されない領域が発生することを判断し、その映像が表示されない領域のドライバへの給電を停止するために、データドライバまたはＹ軸ドライバの制御回路５を制御するのも、このドライバ制御回路９である。
【００５３】
この構成において、例えばアスペクト比４：３の映像信号が入力された場合には、映像信号処理回路８で入力映像信号のアスペクト比が４：３であることを認識し、ドライバ制御回路９およびデータドライバまたはＹ軸ドライバ制御回路５からデータドライバ４ａおよび４ｚへの給電が停止されるように制御され、図７に示したアスペクト比１６：９のマトリクス型映像表示装置１内の網掛け部分を駆動するデータドライバまたはＹ軸ドライバ４ａと４ｚへの給電が停止し、不要なノイズの発生と無駄な電力の消費を減らすことができる。
【００５４】
また、一般的にＰＤＰやＥＬ等の蛍光体を光らせる自発光式のマトリクス型映像表示装置では、映像を構成している各画素（セル）１３の発光の積算量に応じて蛍光体の発光効率が低下する。マトリクス型映像表示装置１の全領域（全画素）で動画映像を表示している場合には、各画素（セル）１３の積算発光量は平均的にほぼ同じであるため、各画素（セル）１３の発光効率もほぼ同様に低下するため問題にならないが、前述のように、発光している領域と発光していない領域が長時間にわたって分割表示された場合には、発光している領域の画素（セル）１３の発光効率の低下が早く進んでしまい、後に全領域での映像表示をした時には両領域間に発光効率の差が生じてしまっているために、映像データ的には同じ輝度であっても実画面輝度が同じにならない現象が発生する。これが、いわゆる焼き付き現象である。（例えば、画面全体が一様な輝度を有する全白信号を表示しても、画面中央部の領域が画面左右両端部の輝度よりも暗くなってしまう。）
【００５５】
この映像表示装置では、アスペクト比４：３の映像信号が到来したことを映像信号処理回路８で判定し、その映像信号の表示時間や平均輝度等をカウンタ＆メモリ部１０で記憶することができる。これにより映像信号処理回路８は、マトリクス型映像表示装置１に映像が表示されている領域と表示されていない領域での各セル１３の積算発光量の差を認識し、動作時間および発光量の積算量と発光効率の劣化度合いを関連付けてあらかじめ作成しておいた発光効率劣化テーブルをメモリ１０内に格納しておき、これを参照し、両領域の発光時間差から推定される発光効率差（輝度差）分を算出して、これを映像の輝度信号に映像信号処理回路８にて加減算するか、または分割されたデータドライバ４ａ〜４ｚを両領域の推定される発光効率差分に応じて独立して輝度データ値を下げるように制御することにより、いわゆる焼き付きの発生を感じさせない映像をマトリクス型映像表示装置１に表示することができる。
【００５６】
また、ＬＥＤのように、蛍光体を発光させない自発光式のマトリクス型映像表示装置であった場合でも、映像を構成している各画素（セル）１３の発光の積算時間に応じてＬＥＤ素子の発光効率が低下する。マトリクス型映像表示装置１の全領域（全画素）で動画映像を表示している場合には、各画素（セル）１３の積算発光時間は平均的にほぼ同じであるため、各画素（セル）１３の発光効率もほぼ同様に低下するため問題にならないが、前述のように、発光している領域と発光していない領域が長時間にわたって分割表示された場合には、発光している領域の画素（セル）１３の発光効率の低下が早く進んでしまい、後に全領域での映像表示をした時には両領域間に発光効率の差が生じてしまっているために、映像データ的には同じ輝度であっても実画面輝度が同じにならない現象（焼き付き現象）が発生する。この場合も、上記で述べたように、カウンタ＆メモリ部１０で映像信号の表示時間を記憶させておき、表示時間に応じて劣化する発光効率劣化テーブルをメモリ１０内に格納しておき、このテーブルを参照して両領域の発光時間差データから推定される発光効率差（輝度差）分を算出し、これを映像の輝度信号に映像信号処理回路８にて加減算するか、または分割されたデータドライバ４ａ〜４ｚを両領域の推定される発光効率差分に応じて独立して輝度データ値を下げるように制御することにより、いわゆる焼き付きの発生を感じさせない映像をマトリクス型映像表示装置１に表示することができる。
【００５７】
実施の形態１１．
図８は、この発明の実施の形態１１である映像表示装置を示すものである。同図は、前述の実施の形態４〜６におけるＰＤＰを用いた映像表示装置のブロック図である。
【００５８】
動作については、マトリクス型映像表示装置１がＰＤＰになっているだけであり、ＰＤＰ１を駆動するための維持ドライバ６が存在するが、その他の動作については上記実施の形態１０と全く同じであるため、説明を省略する。
【００５９】
このマトリクス型映像表示装置では、アスペクト比４：３の映像信号が到来したことを映像信号処理回路８で判定し、その映像信号の表示時間や平均輝度等をカウンタ＆メモリ部１０で記憶し、これにより映像信号処理回路８はマトリクス型映像表示装置１に映像が表示されている領域と表示されていない領域での各セル１３の積算発光量の差を認識し、メモリ１０内に格納された発光効率劣化テーブルを参照し、両領域の発光時間差から推定される発光効率差（輝度差）分を算出して、これを映像の輝度信号に映像信号処理回路８にて加減算するか、または分割されたデータドライバ４ａ〜４ｚを両領域の推定される発光効率差分に応じて独立して輝度データ値を下げるように制御することにより、いわゆる焼き付きの発生を感じさせない映像をマトリクス型映像表示装置１に表示することができる。
【００６０】
なお、上記各実施の形態１〜１１におけるマトリクス型映像表示装置１のアスペクト比は、例示した１６：９に限られるものではない。アスペクト比４：３のマトリクス型映像表示装置において、アスペクト比１６：９の映像や映画等の２．３５：１、１．８５：１の横長の映像を表示する場合や、アスペクト比１６：９、および４：３のマトリクス型映像表示装置において、一部のコンピュータ信号であるアスペクト比が５：４や１：１というマトリクス型映像表示装置１の表示領域よりも縦長の映像を表示する場合など、全ての表示可能領域を使用せずに映像を表示する場合に、映像を表示する領域と表示しない領域で、それぞれのＸ、Ｙ軸方向の電極群が分離されるようにＸ、Ｙ軸方向の各ドライバが分離されていればよいのは言うまでもなく、上記各実施の形態で述べたものと同様の効果を得ることができる。
【００６１】
【発明の効果】
この発明は、以上説明したように構成されているので、以下に示すような効果を奏する。
【００６２】
マトリクス型映像表示装置において、マトリクス型映像表示装置の表示領域のアスペクト比と、表示する映像信号のアスペクト比が異なることによって生じる映像が表示されない領域の電極群のドライバへの給電を停止するようにドライバ制御回路によって制御するようにしたので、映像が表示されない領域では表示動作が行われないので、不要なノイズの発生と無駄な電力の消費を減らすことができる効果がある。
【図面の簡単な説明】
【図１】この発明の実施の形態１および７のマトリクス型映像表示装置とその駆動回路の構成を示すブロック図である。
【図２】この発明の実施の形態２および８のマトリクス型映像表示装置とその駆動回路の構成を示すブロック図である。
【図３】この発明の実施の形態３および９のマトリクス型映像表示装置とその駆動回路の構成を示すブロック図である。
【図４】この発明の実施の形態４のＰＤＰとその駆動回路の構成を示すブロック図である。
【図５】この発明の実施の形態５のＰＤＰとその駆動回路の構成を示すブロック図である。
【図６】この発明の実施の形態６のＰＤＰとその駆動回路の構成を示すブロック図である。
【図７】この発明の実施の形態１０の映像表示装置を示すブロック図である。
【図８】この発明の実施の形態１１の映像表示装置を示すブロック図である。
【符号の説明】
１  マトリクス型映像表示装置（ドライバに給電されない領域を網掛け部で示す）、２  走査ドライバまたはＸ軸ドライバ、２ａ〜２ｚ  分割された走査ドライバまたはＸ軸ドライバ、３  走査ドライバまたはＸ軸ドライバの制御回路、４データドライバまたはＹ軸ドライバ、４ａ〜４ｚ  分割されたデータドライバまたはＹ軸ドライバ、５  データドライバまたはＹ軸ドライバの制御回路、６  維持ドライバ、６ａ〜６ｚ  分割された維持ドライバ、７  維持ドライバ制御回路、８  映像信号処理回路、９  ドライバ制御回路、１０  カウンタ部およびメモリ部、１１  Ｘ軸方向に配置された電極、１２  Ｙ軸方向に配置された電極、１３  画素（セル）、１４  走査電極、１５  維持電極、１６  データ電極。
【図１】
2004177557.tif 000003
【図２】
2004177557.tif 000004
【図３】
2004177557.tif 000005
【図４】
2004177557.tif 000006
【図５】
2004177557.tif 000007
【図６】
2004177557.tif 000008
【図７】
2004177557.tif 000009
【図８】
2004177557.tif 000010